(57)【要約】      （修正有）【課題】光加入者端末装置に動作電源を供給し、かつ光加入者端末装置の動作状態を監視し、監視結果を自動的にセンターに伝送する。【解決手段】センター装置からの光テレビジョン信号を電気テレビジョン信号に変換する光加入者端末装置からの電気テレビジョン信号が入力端子１２に入力され、入力端子１２からテレビジョン信号が出力端子１４に供給される。入力端子１２に光加入者端末装置用の動作電源をＡＣ／ＤＣ電源部１６が供給する。入力端子１２からの電気テレビジョン信号と電源部１６とを状態監視制御部２８が監視し、その監視結果をネットワークを介してセンター装置に送信する。【選択図】図２
2008227842.tif 000002
【特許請求の範囲】
【請求項１】
センター装置からの光テレビジョン信号を電気テレビジョン信号に変換する光加入者端末装置からの前記電気テレビジョン信号が入力される入力端子と、
前記入力端子からの前記テレビジョン信号が供給される出力端子と、
前記入力端子に前記光加入者端末装置用の動作電源を供給する電源部と、
前記入力端子からの前記電気テレビジョン信号と前記電源部とを監視し、その監視結果をネットワークを介して前記センター装置に送信する監視部とを、
具備する光加入者端末装置用電源装置。
【請求項２】
請求項１記載の光加入者端末装置用電源装置において、
前記光加入者端末装置は、前記センター装置からの光制御信号も電気制御信号に変換して、前記電気テレビジョン信号と共に前記入力端子に入力し、
前記監視部は、前記電気制御信号に基づいて制御される光加入者装置用電源装置。
【請求項３】
センター装置からの光テレビジョン信号を電気テレビジョン信号に変換する放送用ユニットと、前記センター装置との間で光通信信号を送受する通信ユニットとを、備えた光加入者端末装置に対して設けられ、
前記光加入者端末装置に対する動作電源を供給する電源部と、
前記放送用ユニットの電気テレビジョン信号の状態を監視すると共に、前記電源部の状態を監視し、その監視結果を前記光通信信号によって前記センター装置に送信する監視部とを、
備える光加入者端末装置用電源装置。
【発明の詳細な説明】
【技術分野】
【０００１】
本発明は、光加入者端末装置に動作電源を供給する光加入者端末装置用電源装置に関し、特に、監視機能を備えたものに関する。
【背景技術】
【０００２】
光加入者端末装置は、例えば光テレビジョン放送が行われている共同受信システムに使用されることがある。共同受信システム中の中継増幅器に無停電電源装置から動作電源の供給が行われているとき、この事態をセンターに伝送する技術が特許文献１に開示されている。この技術では、無停電電源装置によって動作電源の供給が行われると、監視装置が、この無停電電源装置の近くにある加入者宅の受信機に警報信号を送信する。受信機が警報信号を受信したことを確認した加入者が、センターに電話連絡する。
【０００３】
【特許文献１】特許第３３９４３３３号
【発明の開示】
【発明が解決しようとする課題】
【０００４】
上記の技術を光放送に適用した場合、無停電電源装置と監視装置とが光加入者端末装置に設けられ、この光加入者端末装置を設置した家庭に受信機を設けることになる。しかし、光加入者端末装置を設置した家庭の家人がセンターに電話連絡しなければならず、もし家人が在宅していない場合には、センターへの連絡が遅れる。また、この技術では、電源部の監視しか行えず、良好に光加入者端末装置が光放送用の光テレビジョン信号を電気テレビジョン信号に変換できているか確認することができない。
【０００５】
本発明は、光加入者端末装置に動作電源を供給しつつ、その動作電源の状態や光加入者端末装置からの電気テレビジョン信号の状態を、自動的にセンターに伝送することができる光加入者端末装置用電源装置を提供することを目的とする。
【課題を解決するための手段】
【０００６】
本発明の一態様の光加入者端末装置用電源装置は、入力端子を有している。この入力端子には、センター装置からの光テレビジョン信号を電気テレビジョン信号に変換する光加入者端末装置からの前記電気テレビジョン信号が入力される。入力端子からのテレビジョン信号が出力端子に供給される。出力端子は、例えばテレビジョン受信機に接続される。入力端子に電源部が光加入者端末装置用の動作電源を供給する。この動作電源は、入力端子から光加入者端末装置に伝送され、光加入者端末装置を動作させる。監視部が、入力端子からの前記電気テレビジョン信号と前記電源部とを監視する。例えば電気テレビジョン信号が存在しているか、その受信レベルは適正か判断し、電源部から出力される電圧や電流または電源部に入力される電圧や電流が、それぞれに設定された許容範囲内にあるか判断する。監視部は、上記の監視結果をネットワークを介してセンター装置に送信する。この電源装置は、光加入者端末装置とは別個に設けられ、例えば光加入者端末装置が屋外に設置されていると、電源部は屋内に離れて配置される。
【０００７】
このように構成された光加入者端末装置では、光加入者端末装置には、電源部から入力端子を介して動作電源が供給され、光加入者端末装置が動作する。光加入者端末装置からの電気テレビジョン信号は、入力端子から出力端子を経てテレビジョン受信機に供給される。監視部は、電源部の入力電圧、入力電流、出力電圧、出力電流のうち所望のものを監視する。また、電気テレビジョン信号の有無や、電気テレビジョン信号がある場合には、そのレベルが許容範囲内にあるか監視する。この監視結果が、ネットワークを介してセンター装置に伝送される。従って、センター装置において、光加入者端末装置の動作状況を把握することができる。しかも、その把握は、光加入者端末装置の電源装置を介して行え、監視装置を別途設ける必要もない。
【０００８】
光加入者端末装置は、前記センター装置からの光制御信号も電気制御信号に変換して、前記電気テレビジョン信号と共に前記入力端子に入力することができる。この場合、監視部は、電気制御信号に基づいて制御される。例えば、光加入者端末装置への電源の供給を停止したり、監視部自体をリセットしたりすることができる。
【０００９】
本発明の他の態様の光加入者端末装置用電源装置は、光加入者端末装置に対して設けられている。光加入者端末装置は、センター装置からの光テレビジョン信号を電気テレビジョン信号に変換する放送用ユニットと、センター装置との間で光通信信号を送受する通信ユニットとを、備えている。この光加入者端末装置に対する動作電源を電源部が供給する。監視部が、放送用ユニットの電気テレビジョン信号の状態を監視すると共に、電源部の状態を監視し、その監視結果を光通信信号によってセンター装置に送信する。
【００１０】
この光加入者端末装置用電源装置でも、放送用ユニットと通信用ユニットとに動作電源を供給しつつ、その電源部の状態や電気テレビジョン信号の状態をセンター装置に伝送することができる。
【発明の効果】
【００１１】
以上のように、本発明によれば、光加入者端末装置に動作電源を供給しつつ、光加入者端末装置の動作状況を監視し、その監視結果をセンター装置に伝送することができる。
【発明を実施するための最良の形態】
【００１２】
本発明の第１の実施形態の光加入者端末装置用電源装置２は、例えば一般家庭の屋内に配置されており、図１に示すように、一般家庭の屋外に配置されている光加入者端末装置、例えば光放送用加入者端末装置４に、動作電源、例えば＋１５Vの直流電圧を供給して、光放送用加入者端末装置４を動作させる。光放送用加入者端末装置４は、例えば光ファイバ６を介してセンター装置から伝送された光テレビジョン信号を電気テレビジョン信号、例えば高周波テレビジョン信号に変換する。この高周波テレビジョン信号が電源装置２、ＴＶ信号分配系８を介して複数のテレビジョン受信機１０に供給される。これによって、テレビジョン受信機１０の視聴者は、番組を視聴することができる。ＴＶ信号分配系８は、例えば分配器及び分岐器によって構成される。
【００１３】
図２に示すように、電源装置２は、入力端子１２を有している。この入力端子１２は、伝送線路、例えば同軸ケーブルを介して光放送用加入者端末装置４の出力端子（図示せず）に接続されている。入力端子１２には、光放送用加入者端末装置４から同軸ケーブルを介して高周波テレビジョン信号が供給されている。この入力端子１２は、出力端子１４に接続され、出力端子１４は、伝送線路、例えば同軸ケーブルを介してＴＶ信号分配系８に接続されている。従って、高周波テレビジョン信号は、入力端子１２、出力端子１４を介してＴＶ信号分配系８に供給される。
【００１４】
この電源装置２は、電源部、例えばＡＣ／ＤＣ電源１６を有している。ＡＣ／ＤＣ電源１６は、例えば商用交流電圧１００Ｖが入力され、これを＋１５Ｖの直流電圧に変換する。この＋１５Ｖの直流電圧は、開閉スイッチ１８及び高周波阻止コイル２０を介して入力端子１２に供給されている。この＋１５Ｖの直流電圧は、入力端子１２から同軸ケーブルを介して光放送用加入者端末装置４の出力端子に供給される。光放送用加入者端末装置４は、この＋１５Ｖによって動作する。このように＋１５Ｖの直流電圧を入力端子１２に供給しているので、この＋１５Ｖの直流電圧が出力端子１４に供給されることを阻止するために、入力端子１２と出力端子１４との間に直流阻止コンデンサ２２が接続されている。
【００１５】
また、ＡＣ／ＤＣ電源１６の＋１５Ｖの直流電圧は、開閉スイッチ２４を介して図示していない通信用光加入者端末装置にも供給されている。
【００１６】
ＡＣ／ＤＣ電源１６の直流電圧は、電圧検出部２６に供給されている。電圧検出部２６は、供給された直流電圧を検出し、その検出結果を監視部、例えば状態監視制御部２８に供給する。
【００１７】
入力端子１２に供給された高周波テレビジョン信号は、出力端子１４の前に設けられた１分岐器３０によって分岐され、更に２分配器３２によって２分配される。その一方の分配出力が高周波信号検出部３４に供給される。高周波信号検出部３４は、高周波テレビジョン信号を検出し、その検出結果を状態監視制御部２８に供給する。
【００１８】
状態監視制御部２８は、電圧検出部２６の検出結果に基づいて、ＡＣ／ＤＣ電源１６の出力電圧が、＋１５Ｖを内部に含む予め定めた許容範囲内にあるか判定する。同様に、状態監視制御部２８は、高周波信号検出部３４の検出信号に基づいて高周波テレビジョン信号が存在するか否かを判定し、存在する場合には、そのレベルが予め定めた許容範囲内にあるか判定する。これら判定結果は、ハブ３６を介して図１に示すネットワーク３８に接続され、センター装置に送信される。従って、センター装置から光放送用加入者端末装置４に向かって単方向の送信しか行えないセンター装置であっても、光放送用加入者端末装置４の状態を把握することができる。なお、ネットワーク３８には、電源装置２を設置している家庭内のパーソナルコンピュータ４０を接続することもできる。
【００１９】
センター装置は、光テレビジョン信号と共に、光監視制御信号も光放送用加入者端末装置４に伝送している。光放送用加入者端末装置４は、光監視制御信号も電気監視制御信号に変換して、電源装置２の入力端子１２に供給している。電気監視制御信号は、入力端子１２から直流阻止コンデンサ２２、１分岐器３０、２分配器３２を介して監視制御信号復調部４２に供給される。監視制御信号復調部４２は、電気監視制御信号を復調し、この復調信号が状態監視制御部２８に供給される。状態監視制御部２８は、復調信号に従った制御を行う。例えば、状態監視制御部２８自体をリセットしたり、ネットワーク３８を通じての通信を不能としたり、開閉スイッチ１８または２４の開閉制御をする。状態監視制御部２８のリセットは、例えばネットワーク３８を通じてセンター装置との通信が成立していないような場合に行う。ネットワークを通じての通信を不能にするのは、例えば、光放送用加入者端末装置４の使用者が料金支払いを行わなかったような場合に行う。開閉スイッチ１８、２４の制御は、例えば開閉スイッチ１８、２４は通常には閉じられており、光放送用加入者端末装置４や通信用加入者端末装置に＋１５Ｖの直流電圧が供給されているが、なんらかの理由でこれらが正常に動作していない場合、直流電圧の供給を一旦停止し、再度供給することによって、これらをリセットするために行う。
【００２０】
このように、光放送用加入者端末装置４に対する電源装置２内に光放送用加入者端末装置４を監視し、その結果をセンター装置に通知する機能や光放送用加入者端末装置４等を制御する機能が設けられている。
【００２１】
本発明の第２の実施形態の光加入者端末装置用電源装置２ａは、図３に示すように、光加入者端末装置４ａに動作電源を供給する。光加入者端末装置４ａは、第１の実施形態における光放送用加入者端末装置４に対応する放送用ユニット４００ａと、第１の実施形態における通信用光加入者端末装置に対応する通信用ユニット４００ｂとを、備える一体型のものである。この光加入者端末装置４ａに対して光加入者端末装置用電源装置２ａは、着脱自在に設けられている。
【００２２】
放送用ユニット４００ａは、光放送用加入者端末装置４と同様にテレビ系光ファイバ６ａを介して送信された光テレビジョン信号を高周波テレビジョン信号に変換して、図１に示したテレビジョン信号分配系８を介して各テレビジョン受信機に供給する。また、図２における高周波信号検出部３４に対応するものを有し、その検出結果を電源装置２ａに供給している。
【００２３】
通信用ユニット４００ｂは、通信系光ファイバ６ｂを介して送信された光通信信号を電気通信信号に変換して、電源装置２ａを介してパーソナルコンピュータに伝送したり、パーソナルコンピュータからの電気信号を電源装置２ａを介して受けて、これを光通信信号に変換して通信系光ファイバ６ｂを介してセンター装置に伝送する。このセンター装置からの光通信信号には、第１の実施形態における光制御信号に対応するものも含まれている。この光制御信号は、通信用ユニット４００ｂにおいて電気制御信号に変換されて、電源装置２ａに供給される。
【００２４】
電源装置２ａは、図２に示すＡＣ／ＤＣ電源部１６に相当する電源部を有し、これからの＋１５Ｖの直流電圧は、通信用ユニット４００ｂと電源装置２ａとを接続する電気通信信号用の伝送ラインに重畳して、通信用ユニット４００ｂに供給される。更に、＋１５Ｖの直流電圧は通信用ユニット４００ｂからハーネス等を使用して放送用ユニット４００ａに供給されている。または、先に放送用ユニット４００ａに＋１５Ｖの直流電圧を供給し、放送用ユニット４００ａからハーネス等を使用して、通信用ユニット４００ｂに供給してもよい。なお、ＡＣ／ＤＣ電源部１６に相当する電源部の出力側には、図２に示す開閉スイッチ１８に相当する開閉スイッチが設けられている。電源装置２ａには、ＡＣ／ＤＣ電源部１６に相当する電源部の出力電圧を検出する電圧検出部、電気制御信号を復調する復調部が設けられ、これらの出力は、図２に示す状態監視制御部２８に相当する状態監視制御部に供給されている。この状態監視部は、ＡＣ／ＤＣ電源部１６に相当する電源部の出力電圧が＋１５Ｖを内部に含む許容範囲内にあるか判定し、その結果を電気通信信号として通信用ユニット４００ｂに送信する。同様に放送用ユニット４００ａからの高周波テレビジョン信号のレベル信号を基に、高周波テレビジョン信号の有無の判断、高周波テレビジョン信号が存在する場合には、そのレベルが許容範囲内にあるかの判断を行い、その結果を電気通信信号として通信用ユニット４００ｂに送信する。また、電気制御信号に基づいて、状態監視制御部２８自体のリセットや開閉スイッチの開放、閉成による光加入者端末装置４ａのリセットを行う。
【００２５】
第２の実施形態の光加入者端末装置用電源装置においても、光加入者端末装置４ａに動作電源の供給が行える上に、光加入者端末装置４ａの動作状態を確認することができる。
【００２６】
上記の実施形態では、電源装置から＋１５Ｖの直流電圧を光加入者端末装置に伝送したが、これに限ったものではなく、極端な場合、商用交流電圧を降圧した交流電圧を伝送することもできる。また、ＡＣ／ＤＣ電源部の出力電圧のみを判定したが、出力電流、入力電圧、入力電流を判定し、その結果をセンター装置に伝送することもできる。また、監視制御信号をセンター装置から送信したが、場合によっては不要である。また、高周波テレビジョン信号の有無だけでなく、レベルが許容範囲内か判定したが、場合によっては高周波テレビジョン信号の有無のみを判定することもできる。
【図面の簡単な説明】
【００２７】
【図１】本発明の第１の実施形態の光加入者端末装置用電源装置を使用した光ネットワークシステムのブロック図である。
【図２】図１の光加入者端末装置用電源装置のブロック図である。
【図３】本発明の第２の実施形態の光加入者端末装置用電源装置を使用した光ネットワークシステムの一部を示すブロック図である。
【符号の説明】
【００２８】
２ ２ａ  光加入者端末装置用電源装置
４  ４ａ  光加入者端末装置
１２  入力端子
１４  出力端子
１６  ＡＣ／ＤＣ電源部（電源部）
２８  状態監視制御部（監視部）
【図１】
2008227842.tif 000003
【図２】
2008227842.tif 000004
【図３】
2008227842.tif 000005